(57)【要約】      （修正有）【課題】ベッド板を押上げる際に生ずる腹部圧迫を防止した電動ベッド構造を提供する。【解決手段】駆動部材１１が設置され、駆動部材により押上げられるベッド板３０の位置を調整する二つの連動フレーム２０を支える固定孔１４と摺動溝１３を設けたベッドフレーム１０と、  ベッドフレーム１０に枢着される長棒２１と短棒２２及びこれらの連接棒２３とからなる連動フレーム２０と、長棒と短棒と連接棒との連動フレームと制限棒３２とで平行四辺形状に組み立てられることにより押上げられ、腹部圧迫の生じないベッド板とからなる電動ベッド構造。【選択図】図２
0003157939.tif 000002
【実用新案登録請求の範囲】
【請求項１】
駆動部材が設置され、上記駆動部材において、伸縮棒が設けられ、末端に、連接部が形成され、伸縮棒の両側に、平行に、二つの縦方向棒が設置され、二つの縦方向棒において、駆動部材側の近傍に摺動溝が設置され、もう一端に、固定孔が形成されるベッドフレームと、
それぞれ、ベッドフレームの二つの縦方向棒に結合され、長棒と短棒及び連接棒からなり、長棒において、一端に枢着孔が形成され、ベッドフレームの固定孔に合わせて枢着され、もう一端に、貫通孔が形成され、その短棒の一端に滑車が連接され、摺動可能に摺動溝に設置され、もう一端に貫通孔が形成され、連接棒において、一端が長棒の中段に枢着され、もう一端が、短棒の滑車に枢着される二つの連動フレームと、
底面に上押しブロックが設けられ、上押しブロックが、駆動部材の連接部と枢着され、上押しブロックの両外側に、制限棒が設置され、上記制限棒が、平行に駆動部材側の近傍に位置し、連動フレームの長棒及び短棒に合わせて、長棒孔と短棒孔が形成され、長棒孔と長棒の貫通孔が接続され、短棒孔と短棒の貫通孔が接続され、長棒と短棒及び連接棒、そして、制限棒が、平行四辺形状に連接され、駆動部材の作動により、連動フレームが連動するように制御され、これにより、押上げを行い、上記の連動フレームにあわせる滑車が、摺動溝内で摺動することにより、外方へ変位し、押上げにおいて、腹部を圧迫することを防止するベッド板と、
を含有することを特徴とする腹部圧迫を防止した電動ベッド構造。
【請求項２】
上記駆動部材が、電動モーター装置であることを特徴とする請求項１に記載の電動ベッド構造。
【考案の詳細な説明】
【技術分野】
【０００１】
本考案は、電動ベッド構造に関するものであり、さらに詳しくは、腹部圧迫のない電動ベッド構造に関し、特に、ベッドフレームのベッド板を押上げる際に支える連動フレームの長棒と短棒及び連接棒、そして、制限棒が、平行四辺形状に連接され、短棒の滑車を摺動溝内に摺動させることにより、ベッド板が押上げられる際、外方へ変位する効果が得られる電動ベッド構造に関するものである。
【背景技術】
【０００２】
従来の電動ベッド構造は、図７のように、そのベッドフレーム４０の枠内に、ベッド板４１が枢着され、ベッド板４１とベッドフレーム４０との間に、駆動器４２が設置され、上記ベッドフレーム４０は、ベッド板４１との間において、スピンドル部４３により連接され、また、上記ベッド板４１は、もう一端に、連接部４４が形成されたものである。連接部４４により駆動器４２の伸縮棒４５端部が枢着されたものである。また、駆動器４２が、ベッドフレーム４０の固定部４６に枢着され、これにより、電動ベッド構造が組立てられてある。
【０００３】
かかる電動ベッド構造によれば、ユーザーが、ベッド板４１を押上げて、頭部を持ち上げる場合、その駆動器４２が、電力駆動で、その伸縮棒４５を伸ばして、伸縮棒４５で、ベッド板４１の連接部４４を押し、ベッド板４１が、スピンドル部４３を軸心として回動し、ベッド板４１の押上げの効果が得られる。
【０００４】
しかしながら、上記の如き従来構造によれば、そのベッド板４１が、スピンドル部４３により押上げの作動を行う場合、スピンドル部の固定により、上記ベッド板４１とベッドフレーム４０との距離が固定されるため、ベッド板４１とベッドフレーム４０との挟み合い作動を行い、ベッド板４１とベッドフレーム４０との夾角が、小さくなると、ユーザーの腹部を圧迫する恐れがあり、ユーザーに不快感を与え、快適性を失う欠点があった。
【０００５】
かかる状況下において、特許文献１によれば、電動でベッドの角度が変化する電動ベッドが提案されている。
【０００６】
しかし、かかる電動ベッドの使用時において、第一マット枠の傾斜の制御の形態については具体的な開示はなく、腹部の圧迫防止については開示がない。
【特許文献１】実用新案登録第３０６７９８３号公報
【考案の開示】
【考案が解決しようとする課題】
【０００７】
従って、本考案の課題は、ベッド板の押上げにより、傾斜角度の調整可能な電動ベッドにおいて、腹部の圧迫を防止したベッド板の起立状態の制御可能な電動ベッド構造を提供する点にある。
【課題を解決するための手段】
【０００８】
そこで、本考案者は、上記の本考案の課題を解決するため鋭意検討を重ねた結果、ベッドフレームのベッド板を押上げる際に、ベッド板を、図２で示す長棒と短棒及び連接棒からなる連動フレームで支える構造とし、図４〜図６で示すように、ベッド板が押上げられるに従って外方へ移動するように構成することにより、腹部圧迫を防止することができることに着目し、かかる知見に基いて本考案の想到に至った。
【０００９】
すなわち、本考案の目的は、ベッド板を押上げる際に支える連動フレームの長棒の中段に、連接棒が枢着され、また、連接棒で短棒を引っ張ることにより、短棒の滑車が、摺動可能にベッドフレームの摺動溝に位置付かれ、そのため、ベッド板の上方へ傾斜する変位を制御でき、これにより、ユーザーの腹部を圧迫することを防止でき、ベッド板の押上げ角度を調整することにより腹部圧迫のない快適性を向上させた電動ベッド構造を提供する点にある。
【００１０】
かくして、本考案によれば、
請求項１において、駆動部材が設置され、上記駆動部材において、伸縮棒が設けられ、末端に連接部が形成され、伸縮棒の両側に、平行に二つの縦方向棒が設置され、二つの縦方向棒において、駆動部材側の近傍に摺動溝が設置され、もう一端に、固定孔が形成されるベッドフレームと、
それぞれ、ベッドフレームの二つの縦方向棒に結合され、長棒と短棒及び連接棒からなり、長棒において、一端に枢着孔が形成され、ベッドフレームの固定孔に合わせて枢着され、もう一端に、貫通孔が形成され、その短棒が、一端に滑車が連接され、摺動可能に摺動溝に設置され、もう一端に貫通孔が形成され、連接棒において、一端が長棒の中段に枢着され、もう一端が、短棒の滑車に枢着される二つの連動フレームと、
底面に上押しブロックが設けられ、上押しブロックが、駆動部材の連接部と枢着され、上押しブロックの両外側に、制限棒が設置され、上記制限棒が、平行に駆動部材端の近くに位置し、連動フレームの長棒及び短棒に合わせて、長棒孔と短棒孔が形成され、長棒孔と長棒の貫通孔が接続され、短棒孔と短棒の貫通孔が接続され、長棒と短棒及び連接棒、そして、制限棒が、平行四辺形状に連接され、駆動部材の作動により、連動フレームが連動するように制御され、これにより、押上げを行い、上記の連動フレームにあわせる滑車が、摺動溝内で摺動することにより、外方へ変位し、押上げにおいて、腹部を圧迫することを防止するベッド板と、
を含有することを特徴とする腹部圧迫を防止した電動ベッド構造が提供される。
【００１１】
請求項２に係る考案によれば、
上記駆動部材が、電動モーター装置であることを特徴とする請求項１に記載の電動ベッド構造が提供される。
【考案の効果】
【００１２】
本考案は上記の如き構成からなり、駆動部材によりベッド板の押上げの際、ベッド板を長棒と短棒及び連接棒からなる平行四辺形を形成する連動フレームで支えるようにしたので、図４〜図６で示すようにベッド板の押上げに伴ない、短棒が、摺動溝と摺動し、ベッド板が外方へ移動し、ベッド板の回転支点が移動するので腹部への圧迫を防止することができ、快適性に優れた電動ベッドを提供することができる。
【考案を実施するための最良の形態】
【００１３】
以下、図面を参照しながら、本考案の特徴や技術内容について、詳しく説明する。もっとも、図面等は、参考や説明のためのものであり、本考案は、それらによって限定されるものではない。
【００１４】
本考案に係る電動ベッド構造は、図１及び２に示すように、ベッドフレーム１０と二つの連動フレーム２０及びベッド板３０から構成されたものである。
【００１５】
ベッドフレーム１０には、電動モーター装置である駆動部材１１を設置してある。駆動部材１１においては、伸縮棒１１１が設けられ、末端に、連接部１１２を形成してある。
【００１６】
上記ベッドフレーム１０には、伸縮棒１１１の両側に、平行して二つの縦方向棒１２を設置してある。また、二つの縦方向棒１２には、駆動部材１１側に、摺動溝１３が設置され、もう一端に、固定孔１４が形成されてある。二つの連動フレーム２０は、それぞれ、ベッドフレーム１０の二つの縦方向棒１２に結合してある。
【００１７】
上記の連動フレーム２０は、長棒２１と短棒２２及び連接棒２３を有し、その長棒２１は、一端に、枢着孔２１１が形成され、ベッドフレーム１０の固定孔１４に枢着され、もう一端に、貫通孔２１２が形成されてある。その短棒２２には、一端に、摺動的に摺動溝１３に位置する滑車２２１が枢着され、もう一端に、貫通孔２２２が形成される。その連接棒２３は、一端が、長棒２１の中段に枢着され、もう一端が、短棒２２の滑車２２１に枢着される。
【００１８】
ベッド板３０には、底面に、駆動部材１１の連接部１１２に枢着される上押しブロック３１が突出し、また、上押しブロック３１の両外側に、制限棒３２を形成してある。上記制限棒３２は、ベッド板３０に平行するように、駆動部材１１の近傍に位置し、また、連動フレーム２０の長棒２１、短棒２２に合わせて長棒孔３２１と短棒孔３２２を形成してある。また、長棒孔３２１と長棒２１の貫通孔２１２とが接続される。そして、短棒孔３２２と短棒２２の貫通孔２２２とが連接される。即ち、長棒２１と短棒２２及び連接棒２３、そして、制限棒３２は、平行四辺形状に連接され、駆動部材１１の作動により、連動フレーム２０によりベッド板３０が連動され、ベッド板３０が、押上げによる揺動を行い、また、連動フレーム２０の滑車２２１に合わせて、摺動溝１３内で摺動し、これにより、ベッド板３０が外方へ変位する効果が得られるので、ベッド板が押上げられた場合においても、腹部を圧迫することを防止することができる。
【００１９】
本考案に係る電動ベッド構造によれば、図２と図３に示すように、ベッドフレーム１０には、駆動部材１１が実装され、連動フレーム２０の連接棒２３が、長棒２１と短棒２２との間に枢着され、上記二つの連動フレーム２０が、それぞれ、長棒２１の枢着孔２１１により、ベッドフレーム１０の固定孔１４に枢着され、短棒２２の滑車２２１により、摺動可能にベッドフレーム１０の摺動溝１３に設置される。すなわち、二つの連動フレーム２０が、駆動部材１１の両側面に設けてある縦方向棒１２に設置され、ベッド板３０の上押しブロック３１が、駆動部材１１の連接部１１２に枢着される。
【００２０】
また、制限棒３２の長棒孔３２１により、長棒２１の貫通孔２１２に枢着され、また、制限棒３２の短棒孔３２２により、短棒２２の貫通孔２２２に枢着されるため、駆動部材１１と連動フレーム２０が、上記ベッド板３０に連結される。
【００２１】
また、長棒２１と短棒２２が、平行して設置され、連接棒２３と制限棒３２が、平行に設置されるので、連動フレーム２０と制限棒３２が、平行四辺形である枢着棒体を形成する。
【００２２】
本考案に係る電動ベッド構造よれば、図２と図４乃至図６に示すように、上記駆動部材１１は、伸縮棒１１１が収縮する場合、そのベッド板３０が、ベッドフレーム１０と同じように、水平状態で駆動部材１１の上端に設置される。この場合において、連動フレーム２０が、挟み合って、滑車２２１が、摺動溝１３の駆動部材１１の近くに位置する。駆動部材１１により、伸縮棒１１１が伸長した時、上記伸縮棒１１１の連接部１１２が、ベッド板３０の上押しブロック３１を押し、また、上記ベッド板３０が、長棒２１により、長棒孔３２１と固定孔１４との間に枢着され、長棒２１により、位置が制限されるため、ベッド板３０が、上方への変位だけを行なう。また、上記長棒２１の中段に、連接棒２３が枢着されるため、長棒２１が連接棒２３を押して、連接棒２３で短棒２２を引っ張ることにより、短棒２２の滑車２２１が、ベッドフレーム１０の摺動溝１３に沿って、固定孔１４側へ変位する。また、短棒２２の貫通孔２２２端部が、制限棒３２の短棒孔３２２に枢着されるため、滑車２２１が、固定孔１４側へ変位する時、上記短棒２２が、制限棒３２の短棒孔３２２側に引き戻される。この時、連動フレーム２０が、元の挟み合い状態から開き状態になり、上記長棒２１と短棒２２とが、平行状態となる。また、連接棒２３と制限棒３２が、平行状態になり、上記の作動により、ベッド板３０が押上げられ、傾斜状態となる。この場合、ベッド板３０は、外側へ、滑車２２１が摺動溝１３に沿って摺動した距離分だけ変位する。そのため、滑車２２１の摺動距離により、ベッド板３０の上方へ傾く角度を制御できる効果を奏すると共に、ユーザーの腹部を圧迫することを防止でき、ベッド板３０の傾斜角度を調整することができ、快適性を向上させることができる。
【００２３】
以上の説明は、本考案のより良い実施例であり、本考案は、それらによって限定されるものではなく、本考案に係わる考案登録請求の範囲や明細書の内容に基づいて行った等価の変更や修正は、全てが、本考案の範囲内に含まれることは明らかである。
【図面の簡単な説明】
【００２４】
【図１】本考案の一実施形態による電動ベッド構造を示す斜視図である。
【図２】本考案の一実施形態による電動ベッド構造を示す分解斜視図である。
【図３】本考案の一実施形態による電動ベッド構造の他の視角での一部斜視図である。
【図４】本考案の一実施形態による電動ベッド構造の側面断面図である。
【図５】本考案の一実施形態による電動ベッド構造のベッド板の押上げ作動状態の断面概念図（一）である。
【図６】本考案の一実施形態による電動ベッド構造のベッド板の押上げ作動状態の断面概念図（二）である。
【図７】従来の電動ベッド構造のベッド板の押上げ作動状態の断面概念図である。
【符号の説明】
【００２５】
本考案に係る電動ベッド構造
１０    ベッドフレーム
１１    駆動部材
１１１  伸縮棒
１１２  連接部
１２    縦方向棒
１３    摺動溝
１４    固定孔
２０    連動フレーム
２１    長棒
２１１  枢着孔
２１２  貫通孔
２２    短棒
２２１  滑車
２２２  貫通孔
２３    連接棒
３０    ベッド板
３１    上押しブロック
３２    制限棒
３２１  長棒孔
３２２  短棒孔
従来技術に係る電動ベッド構造
４０    ベッドフレーム
４１    ベッド板
４２    駆動器
４３    スピンドル部
４４    連接部
４５    伸縮棒
４６    固定部
【図１】
0003157939.tif 000003
【図２】
0003157939.tif 000004
【図３】
0003157939.tif 000005
【図４】
0003157939.tif 000006
【図５】
0003157939.tif 000007
【図６】
0003157939.tif 000008
【図７】
0003157939.tif 000009